(57)【特許請求の範囲】
【請求項１】
内視鏡の光源装着口に前記内視鏡と一体となるように着脱自在に装着される内視鏡用光源装置であって、再充電可能な電池を含む電源回路と、前記電源回路内に設けられかつ前記電池を充電するための充電回路と、磁力線を透過し得る適当な電気絶縁材料で外部から遮断された受電コイルを有し前記電源回路と前記充電回路に電力を供給する給電回路と、この電源回路から給電されて点灯させられる光源ランプと、前記内視鏡用光源装置から突出する受電継手部とを具備し、前記受電継手部の先端の内部には前記受電コイルが固定して収容される内視鏡用光源装置と、
電気的に接触せずに前記内視鏡用光源装置に接続されるための給電コネクタと、磁力線を透過し得る電気絶縁材料で外部から遮断されて前記給電コネクタ内に設けられる給電コイルと、前記受電継手部を摺動自在に嵌合して受け入れるようになった受容部とを具備し、前記給電コイルが前記受容部の最奥部の内部に固定して収容される充電用送電装置とを備え、
前記内視鏡用光源装置が前記内視鏡に装着され、かつ使用されている状態で前記受電継手部の先端と前記受容部の最奥部とが係合したときに、前記受電コイル及び前記給電コイルとの間に生じる電磁誘導作用により前記充電用送電装置から前記給電回路への電力供給が行われることを特徴とする内視鏡用光源システム。
【請求項２】
前記給電コイルには高速断続直流電流が入力され、前記受容部に前記受電継手部が装着されたとき、前記給電コイルは一次コイルとして、前記受電コイルは二次コイルとして機能することを特徴とする請求項１に記載の内視鏡用光源システム。
【請求項３】
前記電源回路には前記光源ランプへの給電をオン／オフするためのスイッチが設けられ、このスイッチのオフ時には、前記充電回路が前記電池への充電だけを行い、前記スイッチのオン時には、前記電源回路が前記光源ランプに給電すると同時に、前記充電回路が前記電池を充電することを特徴とする請求項１に記載の内視鏡用光源システム。
【請求項４】
前記充電用送電装置は、商用電源からの交流出力を直流出力に変換するＡＣアダプタを備え、
前記給電コネクタは、前記ＡＣアダプタから延在する給電コードの先端に接続され、
前記受容部に前記受電継手部が装着されたとき、前記給電コイルは一次コイルとして、前記受電コイルは二次コイルとして機能することを特徴とする請求項１または３に記載の内視鏡用光源システム。
【発明の詳細な説明】
【０００１】
【発明の属する技術分野】
本発明は光ファイバスコープとして構成される内視鏡の分野に関し、一層詳しくは光ファイバスコープの遠位端の前方を照明するための光源装置であって、該内視鏡に着脱自在に装着されるようになった光源装置に関する。
【０００２】
【従来の技術】
着脱自在の光源装置を備える内視鏡は一般的には携帯型内視鏡と呼ばれ、この携帯型内視鏡は診察すべき患者がいる場所まで持ち運ばれてそこで使用されるように意図されたものである。このような携帯型内視鏡も通常の内視鏡と同様に光ファイバスコープとして構成され、この光ファイバスコープは剛性構造となった操作部と、この操作部から延在した可撓性導管とから構成される。光ファイバスコープ内には、内視鏡像を観察するための観察用光ファイバ束が挿通させられ、観察用光ファイバ束の遠位端は可撓性導管の遠位端に組み込まれた対物レンズに光学的に接続され、その近位端は操作部の頂部即ち接眼部に設けられた接眼レンズに光学的に接続される。一方、光ファイバスコープ内には照明用光ファイバ束も挿通させられ、その遠位端は可撓性導管の遠位端まで延び、その近位端は操作部に設けられた光源装着口まで延び、その光源装着口にはハロゲンランプ等のランプを持つ光源装置が着脱自在に接続されるようになっている。
【０００３】
ランプが点灯されると、その光は照明用光ファイバ束を通して可撓性導管の遠位端から射出させられ、その射出光により可撓性導管の遠位端の前方が照明される。かくして、操作部の接眼部を覗くことにより、内視鏡像が観察用光ファイバ束を通して観察され得ることになる。
【０００４】
携帯型内視鏡用光源装置としては、電池を内蔵したものが一般的であり、電池としては、一次電池例えば、リチウム電池、アルカリ電池或いはマンガン電池等が使用される。十分な明るさで内視鏡像を観察するためには、光源装置のランプとしては1ないし3ワット程度のものが必要であり、このとき電池の寿命は60ないし90分程度となる。従って、内視鏡を長時間にわたって使用するためには電池を頻繁に交換することが必要となる。電池の交換のためには、光源装置から電池を取り出し、次いで新たな電池を装填するという面倒な作業が伴う。また、電池を頻繁に交換しなければならないということは使用済み電池を多量に生じさせることになり、このような多量の使用済み電池を処理をすることは環境汚染の面からきわめて厄介な問題となる。
【０００５】
光源装置の内蔵電池として、再充電可能な二次電池の使用も提案されている。再充電可能な二次電池が使用されれば、多量の使用済み電池の処理問題は解決されるが、しかし二次電池の場合でも電池を頻繁に着脱しなければならないという煩雑な問題は解決され得ない。
【０００６】
そこで、二次電池の着脱を回避するために、二次電池を光源装置に内蔵した儘で充電することが提案されている。この場合、光源装置自体を充電装置に装着することにより、その内蔵二次電池が充電されることになる。このような充電方法では、光源装置側と充電装置側とのそれぞれに電気的な接点を設けることが不可避的に伴う。周知のように、内視鏡には洗浄水を送水するための送水管が設けられ、また内視鏡の使用現場では、内視鏡を含め種々の医療器具を消毒するために消毒液容器や消毒液槽等が設けられる。このような水回りの環境下では、光源装置側と充電装置側の電気的な接点即ち金属端子が腐食を受け易く、このため二次電池を光源装置に内蔵した儘で充電するという提案自体は現実のものとはなっていない。
【０００７】
一方、従来の携帯型内視鏡は患者のベッド付近にＡＣコンセントが設置されている等、商用電源を利用し得る状況下にあっても、内蔵電池しか使用できず、このため従来の携帯型内視鏡はその光源装置の電源に対する融通性に欠いたものとなっている。即ち、従来の携帯型内視鏡の光源装置の電源に対する多様性が求められ、もし携帯型内視鏡が商用電源にアクセスし得る場合には、商用電源を光源装置の電源として利用することが要求されている。このような要求に応える対策として、光源装置が所謂ＡＣアダプタを介して商用電源から給電を受けるようにすることが考えられる。しかしながら、そのようなＡＣアダプタ内の絶縁トランスは医療用グレードで構成されなければならず、その結果として、医療用グレードのＡＣアダプタ自体は高価なものとなる。しかも、ＡＣアダプタを使用する場合も、上述したような水回りの環境が当然配慮されなければならない。
【０００８】
【発明が解決しようとする課題】
従って、本発明の目的は、再充電可能な電池と、この電池から給電されて点灯させられるランプとを具備して成る内視鏡用光源装置であって、該電池をそこに内蔵した儘で充電し得るだけでなく内視鏡用光源装置に電気的な接点を何等必要としない内視鏡用光源装置を提供することである。
【０００９】
また、本発明の別の目的は、上述したような内視鏡用光源装置に内蔵された電池を充電するために送電を行う充電用送電装置であって、そこに電気的な接点を必要としない充電用送電装置を提供することである。
【００１０】
更に、本発明の別の目的は、再充電可能な電池と、この電池から給電されて点灯させられるランプとを具備して成る内視鏡用光源装置であって、商用電源にアクセスし得る状況下では商用電源を積極的に利用し得るように構成された内視鏡用光源装置を提供することである。
【００１１】
【課題を解決するための手段】
本発明の第１の局面による内視鏡用光源装置は、内視鏡の光源装着口に着脱自在に装着されるものであって、再充電可能な電池と、この電池から給電されて点灯させられる光源ランプと、電池を充電するための充電回路と、この充電回路に電力を供給するための給電回路とを具備して成る内視鏡用光源装置において、給電回路には磁力線を透過し得る適当な材料で外部から遮断された電磁コイルが含まれ、この電磁コイルの電磁誘導作用により給電回路から充電回路への電力供給が行われることが特徴とされる。
【００１２】
また、本発明の第１の局面によれば、上述したような内視鏡用光源装置の給電回路へ送電する充電用送電装置が提供され、この充電用送電装置は商用電源からの交流出力を直流出力に変換する整流／平滑回路と、この整流／平滑回路からの直流出力を高速で断続させるスイッチング回路と、このスイッチング回路からの高速断続直流出力が入力される一次コイルとから成り、該一次コイルは磁力線を透過し得る適当な材料で外部から遮断される。このような充電用送電装置においては、内視鏡用光源装置を所定の姿勢で装着し得るようになった受容部が設けられ、この受容部に内視鏡用光源装置が所定の姿勢で装着されたとき、該内視鏡用光源装置の電磁コイルが上述の一次コイルに対して二次コイルとして機能することが特徴とされる。
【００１３】
本発明の第２の局面による内視鏡用光源装置は、内視鏡の光源装着口に着脱自在に装着されるものであって、再充電可能な電池を含む電源回路と、この電源回路から給電されて点灯させられる光源ランプと、電源回路内に設けられかつ該電池を充電するための充電回路と、該電源回路及び該充電回路に電力を供給する給電回路とを具備して成る。本発明の第２の局面によれば、そのような内視鏡用光源装置において、該給電回路には磁力線を透過し得る適当な材料で外部から遮断された電磁コイルが含まれ、この電磁コイルの電磁誘導作用により該電源回路と該充電回路とが給電されることが特徴とされる。
【００１４】
本発明の第２の局面による内視鏡用光源装置において、好ましくは、電源回路には光源ランプへの給電をオン／オフするためのスイッチが設けられ、この場合、スイッチのオフ時には、該充電回路が電池への充電だけが行われ、スイッチのオン時には、該電源回路が前記光源ランプに給電すると同時に、前記充電回路が前記電池を充電する。
【００１５】
本発明の第２の局面によれば、以上述べたような内視鏡用光源装置に送電するための充電用送電装置が提供され、この充電用送電装置は、商用電源からの交流出力を直流出力に変換するＡＣアダプタと、このＡＣアダプタから延在する給電コードの先端に接続された給電コネクタとを具備して成る。給電コネクタ内にはＡＣアダプタからの直流出力を高速で断続させるスイッチング回路と、このスイッチング回路からの高速断続直流出力を受ける電磁コイルとが設けられ、該電磁コイルは磁力線を透過し得る適当な材料で外部から遮断される。このような給電装置においては、内視鏡用光源装置に給電コネクタが接続されたとき、該給電コネクタ側の電磁コイル及び該内視鏡用光源装置側の電磁コイルがそれぞれ一次コイル及び二次コイルとして機能することが特徴とされる。
【００１６】
【発明の実施の形態】
次に、本発明による内視鏡用光源装置の実施形態について添付図面を参照して説明する。
【００１７】
先ず、図１及び図２を参照すると、本発明による内視鏡用光源装置を用いる内視鏡が参照符号１０で全体的に示され、この内視鏡１０は所謂簡易型内視鏡或いは携帯用内視鏡と呼ばれるものである。
【００１８】
内視鏡１０は光ファイバスコープとして構成され、この光ファイバスコープは剛性構造となった操作部１２と、この操作部１２から延在した可撓性導管１４とから構成される。なお、図１及び図２では、可撓性導管１４の近位端側の一部だけが図示されている。
【００１９】
内視鏡即ち光ファイバスコープ１０内には、内視鏡像を観察するための観察用光ファイバ束が挿通させられ、観察用光ファイバ束の遠位端は可撓性導管１４の遠位端に組み込まれた広角レンズ（対物レンズ）に光学的に接続され、その近位端は操作部１２の頂部即ち接眼部１６に設けられた接眼レンズに光学的に接続される。更に、光ファイバスコープ１０内には照明用光ファイバ束１８（図１）も挿通させられ、その遠位端は可撓性導管１４の遠位端まで延び、その近位端は操作部１２の上方側で接眼部１６の直下に設けられた光源装着口２０まで延びる。
【００２０】
なお、図１及び図２において、参照符号２２は可撓性導管１２の先端部を湾曲させて観察視野を変えるための遠隔操作稈を示し、参照符号２４は内視鏡１０の気密内部の圧力を調節するための圧力調整弁を示す。また、図２において、参照符号２６は操作部１２の下方側に設けられた鉗子挿通口を示し、この鉗子挿通口２６を通して鉗子が内視鏡１０内の鉗子チャンネルに挿通させられる。更に、図１において、参照符号２８は鉗子チャンネルを通して吸引操作を行うための吸引操作弁を示す。
【００２１】
本発明による内視鏡用光源装置は参照符号３０で全体的に示され、図１及び図２では、内視鏡用光源装置３０は操作部１２の光源装着口２０に装着された状態で示されている。内視鏡用光源装置３０は円筒形ハウジング３２から成り、この円筒形ハウジング３２の先端部は継手スリーブ３４とされる。継手スリーブ３４内には適当な継手機構（図示されない）が組み込まれ、この継手機構により内視鏡用光源装置３０は光源装着口２０に着脱自在に装着される。
【００２２】
図１に示すように、円筒形ハウジング３２内には電源手段として再充電可能な二次電池３６が収容され、一方継手スリーブ３４内には光源ランプとしてハロゲンランプ３８が配置される。勿論、ハロゲンランプ３８は二次電池３６によって給電され、これによりハロゲンランプ３８は点灯される。図１から明らかなように、内視鏡用光源装置３０が光源装着口２０に接続されて装着されると、ハロゲンランプ３８は照明用光ファイバ束１８の近位端と光学的に接続される。かくして、ハロゲンランプ３８の点灯時、その光は照明用光ファイバ束１８を通してその遠位端から射出させられ、これにより内視鏡即ち光ファイバスコープの遠位端の前方が照明される。
【００２３】
なお、円筒形ハウジング３２内には、二次電池３６を充電するための充電回路と、この充電回路に給電するための受電回路とが組み込まれるが、これについては後で詳述する。
【００２４】
内視鏡用光源装置３０の円筒形ハウジング３２の外側端には適当な合成樹脂材料から一体成形された回転式電源スイッチ釦４０が取り付けられる。図３に詳しく示すように、電源スイッチ釦４０はキャップ状の形態を備え、その内側中心箇所から短軸４２が突出させられる。一方、円筒形ハウジング３２の外側端面の中心箇所は開口させられ、その開口から回転軸４４が突出させられる。図３から明らかなように、回転軸４４には凹部が形成され、その凹部には電源スイッチ釦４０の短軸４２が嵌入させられて固定される。円筒形ハウジング３２内には電源ＯＮ／ＯＦＦスイッチ（図３では図示されない）が組み込まれ、この電源ＯＮ／ＯＦＦスイッチのオン／オフは電源スイッチ釦４０の回動操作により行われる。
【００２５】
図３に示すように、電源スイッチ釦４０の内側壁面には短軸４２の周囲を取り囲むように環状形電磁コイル４６が取り付けられ、このため電磁コイル４６は電源スイッチ釦４０の端面壁によって外部と遮断された状態となる。要するに、電源スイッチ釦４０の材料、即ち合成樹脂材料は一般的には磁力線を透過し得るので、電磁コイル４６は磁力線を透過し得る材料で外部から遮断されることになる。なお、電磁コイル４６は上述した給電回路の一部を成し、その機能については後で詳述する。
【００２６】
図４を参照すると、内視鏡用光源装置３０が二次電池３６を内蔵した儘で該二次電池３６を充電するための電力を供給する充電用送電装置が参照符号４８で全体的に示され、この充電用送電装置４８は基底部５０と、この基底部５０上に固着された本体部５２とから成る。基底部５０及び本体部５２のそれぞれは適当な合成樹脂材料から一体成形され、それぞれに適当な加工を施した後に例えば接着剤等で互いに固着される。
【００２７】
図４から明らかなように、基底部５０の頂面側には凹部が形成され、一方本体部５２の底面側にも凹部が形成され、基底部５０と本体部５２が互いに固着されたとき、その双方の凹部が内部スペース５４を郭成するようになっている。基底部５０の凹部には回路基板５６が取り付けられ、この回路基板５６には後述するような送電側回路が形成される。一方、本体部５２の凹部には一次コイル５８が２つ取り付けられ、各一次コイル５８はそれぞれ送電側回路の一部を成す。
【００２８】
図４に示すように、本実施形態においては、本体部５２には内視鏡用光源装置３０を収容するようになった収容部６０が２つ形成され、このとき収容部６０はその底部に一次コイル５８が整合するように配置される。各収容部６０の底部は本体部５２の合成樹脂材料となっており、その厚さについては該底部に磁力線が十分に透過し得るようなものとされる。
【００２９】
各収容部６０の内径は電源スイッチ釦４０の外径よりも幾分大きなものとされ、また各収容部６０の開口縁には図４に示すようなテーパ形状が与えられ、このため収容部６０には内視鏡用光源装置３０が容易に挿入され得るようになっている。図４から明らかなように、各内視鏡用光源装置３０はその電源スイッチ釦４０の側から収容部６０に挿入され、かくして各内視鏡用光源装置３０はその電源スイッチ釦４０の外側端面が各収容部６０の底部に密着するような姿勢で装着され、このとき各内視鏡用光源装置３０の電磁コイル４６は充電用送電装置側の一次コイル５８に対して二次コイルとして機能するようになっている。
【００３０】
図５を参照すると、各内視鏡用光源装置３０が充電用送電装置４８の収容部に装着された際の充電用送電装置４８の送電側回路と内視鏡用光源装置３０内の回路との関係が示されている。送電側回路は充電用送電装置４８の回路基板５６に形成され、そこには整流／平滑回路６２と、スイッチング回路６４とが設けられる。一方、各内視鏡用光源装置３０側に設けられた充電回路は参照符号６６で示され、また各内視鏡用光源装置３０側の受電回路は電磁コイル４６と受電側整流／平滑回路６８とから構成される。なお、電源スイッチング釦４０の回動操作によりオン／オフされる電源ＯＮ／ＯＦＦスイッチは参照符号７０で示される。
【００３１】
充電用送電装置４８の送電側給電回路の一部を成す整流／平滑回路６２は商用電源７２からの交流出力を直流出力に変換し、その直流出力はスイッチング回路６４を介して一次コイル５８に入力される。スイッチング回路６４はトランジスタ素子ＴＲ1及びＴＲ2と、キャパシタＣ1とを包含し、各トランジスタ素子のスイッチング動作により、整流／平滑回路６２から一次コイル５８に対する直流出力が高速で断続させられる。このような高速の断続については、一次コイル５８がスイッチング回路６４から例えば500kHzの高周波直流出力を受けるように行われる。一次コイルがそのような高周波直流出力を受けると、電磁コイル即ち二次コイル４６には電磁誘導作用により高周波交流が生じさせられる。なお、商用電源７２からの交流出力を高周波直流出力とすることにより、一次コイル５８及び二次コイル４６のそれぞれの構成を大巾に小型化することが可能である。
【００３２】
図５から明らかなように、内視鏡用光源装置３０の受電側整流／平滑回路６８にはキャパシタＣ2と、ダイオードＤ1及びＤ2と、平滑キャパシタＣ3が設けられる。二次コイル４６で生じさせられた高周波交流は受電側整流／平滑回路で直流に変換され、次いでその直流は充電回路６６に給電される。なお、充電回路６６については、例えば二次電池がニッカド電池であれば定電流電源回路で構成され、二次電池がリチウムイオン電池であれば定電圧電源回路で構成され、この充電回路６６により二次電池３６は充電させられる。
【００３３】
図６及び図７を参照すると、本発明による内視鏡用光源装置の別の実施形態が参照符号７４で全体的に示され、この内視鏡用光源装置７４も図１及び図２に示したような携帯型内視鏡に用いられる。なお、図６及び図７でも、携帯型内視鏡は参照符号１０で全体的に示され、また図１及び図２で示した携帯型内視鏡と同様な構成要素については同じ参照符号が用いられる。
【００３４】
内視鏡用光源装置７４も円筒形ハウジング７６から成り、その内部には電源手段として再充電可能な二次電池（例えば、リチウムイオン電池）が収容される。円筒形ハウジング７６の一端部からはランプ収容部７８が突出し、そこに光源ランプとして例えばハロゲンランプが収容される。また、円筒形ハウジング７６の一端部側には継手ナット８０が回動自在に設けられ、図７に示すように、内視鏡用光源装置７４が携帯型内視鏡１０の光源装着口２０に装着される際、継手ナット８０が該光源装着口２０の螺子部に螺着されるようになっており、このときランプ収容部７８は光源装着口２０内に位置して、その光源ランプは携帯型内視鏡１０内に延在する照明用光ファイバ束の近位端に光学的に接続される。
【００３５】
なお、図６及び図７において、参照符号８１は円筒形ハウジング７６の周囲の適当な箇所に設けられたスイッチ釦を示し、このスイッチ釦８１のオン／オフ操作により光源ランプの点灯／消灯が制御される。
【００３６】
円筒形ハウジング７６の他端部からは継手スリーブ８２が突出し、この継手スリーブ８２はＡＣアダプタ８４から延びる給電コード８６の先端に設けられた給電コネクタ８８に接続されるようになっており（図７）、これにより内視鏡用光源装置７４への給電が行われる。ＡＣアダプタ８４は商用電源のＡＣコンセントに接続するためのプラグピン９０を備え、商用電源の交流出力を所定電圧の直流出力に変換する。要するに、ＡＣアダプタ８４、給電コード８６及び給電コネクタ８８は内視鏡用光源装置の充電用送電装置として機能する。
【００３７】
図８に示すように、継手スリーブ８２の先端側開口部には磁力線を透過し得る適当な合成樹脂製のカップ状要素９２が嵌め込まれ、そのカップ状要素９２内には電磁コイル９４が収容されて保持される。一方、給電コネクタ８８には継手スリーブ８２を摺動自在に嵌合して受け入れるようになった受容部９６が形成され、この受容部９６の底部には該受容部９６の内径よりも小さな内径を持つ凹部９８が形成され、この凹部９８にもカップ状要素９２と同様な合成樹脂製のカップ状要素１００が嵌め込まれ、そのカップ状要素１００内には電磁コイル１０２が収容されて保持される。図８から明らかなように、継手スリーブ８２が給電コネクタ８８に完全に接続されたとき、双方のカップ状要素９２及び１００の端面は互いに密着するようになっている。
【００３８】
なお、図８において、参照符号１０４は継手スリーブ８２の根元側に一体的に形成された錠止ピンを示し、参照符号１０６は給電コネクタ８８側に設けた錠止環を示し、この錠止環１０６に形成された弧状溝１０８（図６及び図７）に錠止ピン１０４を挿通させて給電コネクタ８８を回動させることにより、給電コネクタ８８は内視鏡用光源装置７４に対して錠止される。
【００３９】
図９を参照すると、ＡＣアダプタ８４の内部回路と、該ＡＣアダプタ８４の給電コネクタ８８内に組み込まれたコネクタ側送電回路１２０と、内視鏡用光源装置７４内の円筒形ハウジング７６内に組み込まれるランプ側回路１２２との関係が示される。なお、コネクタ側送電回路１２０は適当な回路基板として給電コネクタ８８の凹部９８内に収容され、またランプ側回路１２２も適当な回路基板として円筒ハウジング７６の内部に収容される。
【００４０】
ＡＣアダプタ８４の内部回路は商用トランス１２４及び整流／平滑回路１２６から成る。コネクタ側送電回路１２０は上述した電磁コイル１０２及びスイッチング回路１２８から成り、このスイッチング回路１２８は先の実施形態で用いられたスイッチング回路６４と実質的に同じ構成のものである。
【００４１】
ランプ側回路１２２は上述した電磁コイル９４、整流／平滑回路１３０、定電圧電源回路１３２、電源回路１３４及びランプドライブ回路１３６から成る。整流／平滑回路１３０は先の実施形態で用いられた整流／平滑回路６８と実質的に同じ構成のものである。電源回路１３４にはＯＮ／ＯＦＦスイッチ１３８が含まれ、そのオン／オフ操作は上述のスイッチ釦８１（図６及び図７）によって行われる。即ち、スイッチ釦８１の押下操作によりＯＮ／ＯＦＦスイッチ１３８のオン状態及びオフ状態が交互に切り換えられ、これにより電源回路１３４からランプドライブ回路１３６への給電が制御される。
【００４２】
なお、図９では、内視鏡用光源装置７４の円筒形ハウジング７６内に収容される二次電池即ちリチウムイオン電池は参照符号１４０で示され、この二次電池１４０は電源回路１３４に含まれる。また、内視鏡用光源装置７４のランプ収容部７８内に収容されるハロゲンランプは参照符号１４２でもって示される。
【００４３】
なお、継手スリーブ８２と給電コネクタ８８とが完全に接続されたとき、即ち双方のカップ状要素９２及び１００の端面は互いに密着させられているとき（図７及び図８）、給電コネクタ８８側の電磁コイル１０２は一次コイルとして機能し、継手スリーブ８２側の電磁コイル９４は二次コイルとして機能する。
【００４４】
ＡＣアダプタ８４の商用トランス１２４により商用電源１４４（図９）の交流出力が直流出力に変換され、その直流出力は整流／平滑回路１２６によって所定の定電圧直流出力に変換されてコネクタ側送電回路１２０に入力される。ＡＣアダプタ８４からの直流出力はスイッチング回路１３０によって先の実施形態の場合と同様に例えば500kHzで断続させられ、この高周波直流出力が電磁コイル（一次コイル）１０２に出力されると、電磁コイル（二次コイル）９４には電磁誘導作用により高周波交流が生じさせられる。なお、先の実施形態の場合と同様に、商用電源１４４からの交流出力を高周波直流出力とすることにより、電磁コイル１０２及び９４のそれぞれの構成を大巾に小型化することができる。
【００４５】
電磁コイル（二次コイル）９４から出力される高周波交流は整流／平滑回路１３０により直流に変換され、次いでその直流は定電圧電源回路１３２に入力される。定電圧電源回路１３２からの定電圧直流出力は電源回路１３４に給電される。図９に示すように、電源回路１３４には抵抗Ｒ1並びにダイオードＤ3及びＤ4が設けられる。なお、後述するように、定電圧電源回路１３２と電源回路１３４とにより、ランプドライブ回路１３６への給電並びに二次電池１４０への充電が行われる。
【００４６】
ＯＮ／ＯＦＦスイッチ１３８がオフ状態のとき、定電圧電源回路１３２からの定電圧直流出力は専ら二次電池（リチウムイオン電池）１４０の充電のためにだけ消費される。一方、ＯＮ／ＯＦＦスイッチ１３８がオン状態のとき、定電圧電源回路１３２からの定電圧直流出力はランプドライブ回路１３６にも入力され、これによりハロゲンランプ１４２が点灯させられる。ランプドライブ回路１３６はＤＣ／ＤＣコンバータから成り、このＤＣ／ＤＣコンバータにより、定電圧電源回路１３２からの定電圧直流出力の電圧がハロゲンランプ１４２の点灯に必要な電圧まで昇圧させられる。要するに、ＯＮ／ＯＦＦスイッチ１３８がオン状態のときには、定電圧電源回路１３２からの定電圧直流出力は二次電池１４０の充電のためだけでなくハロゲンランプ１４２の点灯のためにも消費される。なお、抵抗Ｒ1は定電圧電源回路１３２と二次電池１４０との間に電位差を生じさせるために設けられ、これによりＯＮ／ＯＦＦスイッチ１３８がオン状態での二次電池１４０からの自己放電が防止される。
【００４７】
内視鏡用光源装置７４の継手スリーブ８２から給電コネクタ８８が外された状態でＯＮ／ＯＦＦスイッチ１３８がオンされると、ランプドライブ回路１３６は二次電池１４０からダイオードＤ3を介して給電され、これによりハロゲンランプ１４２が点灯され、このときダイオードＤ4は二次電池１４０から定電圧電源回路１３２への電流の逆流を阻止する。勿論、内視鏡用光源装置７４の継手スリーブ８２から給電コネクタ８８が外された状態でＯＮ／ＯＦＦスイッチ１３８がオフされると、二次電池１４０からランプドライバ回路１３６への給電は阻止され、このときハロゲンランプ１４２は消灯させられる。
【００４８】
【発明の効果】
以上の記載から明らかなように、本発明の最初の実施形態（図１ないし図５）によれば、内視鏡用光源装置及び充電用送電装置のいずれにも外部に晒した電気的接点を設けることなく該内視鏡用光源装置の内蔵二次電池に充電を行うことができるので、先に述べたような電気的接点の腐食問題に煩わせることはない。
【００４９】
本発明の別の実施形態（図６ないし図９）では、給電コネクタ側の電磁コイル（一次コイル）と内視鏡用光源装置側の電磁コイル（二次コイル）とは互いに双方のカップ状要素及びによって電気的に絶縁されているので、ＡＣアダプタは医療用グレードの高価なトランス等を使用せずに済む。即ち、ＡＣアダプタについては通常のものと同様に安価なものとして構成され得る。また、内視鏡用光源装置の継手スリーブと給電コネクタとには外部に晒した金属製電気的接点を設ける必要がないので、最初の実施形態の場合と同様に、電気的接点の腐食問題に煩わせることはない。
【図面の簡単な説明】
【図１】本発明による内視鏡用光源装置の一実施形態を装着した簡易型内視鏡の部分立面図である。
【図２】図１の左側面図である。
【図３】図１に示した内視鏡用光源装置の部分拡大断面図である。
【図４】図１ないし図３に示した内視鏡用の光源装置の二次電池を光源装置に内蔵した儘で充電するための充電用送電装置の縦断面図である。
【図５】内視鏡用光源装置を充電用送電装置の収容部に装着した際の送電側給電回路と内視鏡用光源装置側の回路との関係を示す回路構成図である。
【図６】本発明による内視鏡用光源装置の別の実施形態と、その内視鏡用光源装置を装着し得る簡易型内視鏡と、該内視鏡用光源装置に給電を行う給電用ＡＣアダプタとを示す立面図である。
【図７】図６と同様な立面図であって、簡易型内視鏡の光源装着口に本発明による内視鏡用光源装置を装着させ、しかもその内視鏡用光源装置に給電用ＡＣアダプタの給電コネクタを接続させた状態で示す図である。
【図８】本発明による内視鏡用光源装置に給電用ＡＣアダプタの給電コネクタを接続させた際の内部構造を示す部分縦断面図である。
【図９】本発明による内視鏡用光源装置に給電用ＡＣアダプタの給電コネクタを接続させた際のコネクタ側送電回路とランプ側給電回路との関係を示す回路構成図である。
【符号の説明】
１０  内視鏡（光ファイバスコープ）
１２  操作部
１４  可撓性導管
１６  接眼部
１８  照明用光ファイバ束
２０  光源装着口
３０  内視鏡用光源装置
３２  円筒形ハウジング
３４  継手スリーブ
３６  二次電池
３８  ハロゲンランプ
４０  回転式電源スイッチ釦
４６  環状形電磁コイル（二次コイル）
４８  充電用送電装置
５０  基底部
５２  本体部
５６  回路基板
５８  一次コイル
６０  収容部
６２  整流／平滑回路
６４  スイッチング回路
６６  充電回路
６８  受電側整流／平滑回路
７０  電源ＯＮ／ＯＦＦスイッチ
７２  商用電源
【図１】
0003995878.tif 000002
【図２】
0003995878.tif 000003
【図３】
0003995878.tif 000004
【図４】
0003995878.tif 000005
【図５】
0003995878.tif 000006
【図６】
0003995878.tif 000007
【図７】
0003995878.tif 000008
【図８】
0003995878.tif 000009
【図９】
0003995878.tif 000010